(57)【要約】【課題】  植物の水遣りおよび水槽の掃除の問題を一気に解決する水陸両生鑑賞の水槽鉢構造を提供する。【解決手段】  容器１、仕切板２、および支持フレーム３から構成され、容器１は中空で底部には仕切板２が設置され、底部は支持フレーム３と連接し、土４を容器１内の仕切板２上に入れ、更に支持フレーム３は水容器５の水中内に置き、植物６を土中に入れ、根の部分は仕切板２から通して水容器５から水を吸わせ、支持フレーム３には貫通孔３１が穿設され、そこを魚等水生物が通り抜けたり、中に居られるようにし、支持フレーム３を網状にして植物の根が張れるようにする水陸両生鑑賞の水槽鉢構造である。【選択図】    図１
0003103706.tif 000002
【実用新案登録請求の範囲】
【請求項１】
容器、仕切板および支持フレームから構成される水陸両生鑑賞の水槽鉢構造において、
容器は中空であり、底部には仕切板が設置され、容器底部は支持フレームと連接していることを特徴とする水陸両生鑑賞の水槽鉢構造。
【請求項２】
前記支持フレームに貫通孔が穿設されていることを特徴とする請求項１記載の水陸両生鑑賞の水槽鉢構造。
【請求項３】
前記支持フレームは、網状であることを特徴とする請求項１記載の水陸両生鑑賞の水槽鉢構造。
【考案の詳細な説明】
【技術分野】
【０００１】
本考案は、水陸両生鑑賞の水槽鉢構造に関するものであり、鉢植え植物等の陸植物と水生物もしくは水生植物とを同時に鑑賞し、且つ世話が楽で時間および労力を省くことができるものである。
【背景技術】
【０００２】
今日、多くの会社や家庭には、水槽や鉢植え植物が置かれている。しかし、鉢植え植物は鉢を置いた皿の水がこぼれたり枯れたりしないよう注意しなければならなく、また水槽内は余ったえさや魚等の排泄物が出るため、ろ過しなければならない。しかし、これらの作業は面倒に感じることが多い。
【０００３】
現在あるのは水生物と水栽培植物とを共生させる構造に限られているため、一般の鉢植え植物には使用できない。
そのうち、従来の水栽培植物台構造は、板上に単独もしくは集合体の孔が穿設されており、各水栽培植物をその孔内に入れ、板体を水容器上面に置くものである。この他、大面積で大規模に栽培する場合、浮き型水栽培植物台を採用する。この構造は板体が発泡体であり、板と水栽培植物台とを直接池の水面に浮かせる。
【０００４】
しかしながら、この構造では鉢植え植物は置けず、且つ従来の板体では水槽鉢やよく見られる水容器には設置できない。また浮き型のものは水槽鉢が大きくないため、浮き型が漂流すると見る人に不安定感や乱雑さを感じさせ、金魚鉢等の鑑賞用容器には適さない。
【考案の開示】
【考案が解決しようとする課題】
【０００５】
よって本考案が解決しようとする問題点は、水槽内の水および水生物の余ったえさおよび排泄物を植物の水と栄養として提供することによって、植物の水遣りおよび水槽の掃除の問題を一気に解決することである。
【課題を解決するための手段】
【０００６】
本考案は容器、仕切板、および支持フレームから構成される。そのうち、容器は中空で底部には仕切板が設置され、底部は支持フレームと連接する。土を容器内の仕切板上に入れ、更に支持フレームは水容器の水中内に置く。その時、容器が水容器内の水面にかからないようにする。植物を土中に入れ、根の部分は仕切板から通して水容器から水を吸わせる。支持フレームには貫通孔が穿設され、そこを魚等水生物が通り抜けたり、中に居られるようにする。また支持フレームを網状にして植物の根が張れるようにすることを最も主要な特徴とする。
【０００７】
本考案の水陸両生鑑賞の水槽鉢構造は、土で植物を栽培し、根を水容器内に通し、また水容器に水生物を入れる。植物の水遣りの手間が省け、且つ水陸両生の生態を鑑賞できるという利点がある。
また、支持フレームに貫通孔を穿設することにより、魚等が通り抜けたり、隠れ家になるという利点がある。
更に支持フレームを網状にすることにより、植物の根がそこに張り巡らされ、成長を助けるという利点がある。
【考案を実施するための最良の形態】
【０００８】
（第１実施例）
図１および図２に示すとおり、本実施例は、土４、水容器５および土４上の植物６によって実施される。そのうち、水容器５内には水５１が注入され、それによって水容器５に水面５１１が形成される。
本実施例は、容器１、仕切板２および支持フレーム３から構成される。そのうち容器１内は中空で、底部には仕切板２が設置される。また容器１底部は支持フレーム３と連結し、支持フレーム３には貫通孔３１が穿設される。土４は容器１内の仕切板２上に入れ、且つ支持フレーム３を水容器５内の水５１の中に入れ、容器１を水容器５の水面５１１から隔てるように置く。そして、土４上に植物６を植え、植物６の根が仕切板２を通り抜けて水容器内５内から水を吸収させる。同時に水容器５内には水生物や水生植物を入れる。更に支持フレーム３に貫通孔３１を穿設することによって、魚等の水生物がその間を泳ぐことができ、魚の隠れ家にもなる。
【０００９】
（第２実施例）
図３に示すとおり、容器１Ａ、仕切板２Ａおよび支持フレーム３Ａを含む。そのうち、支持フレーム３Ａにも同じく貫通孔３１Ａが穿設されて、その間を魚等の水生物が通り、更に支持フレーム３Ａを網状にしてそこに根が張れるようにすることによって、植物が生長しやすくなる。
【００１０】
（第３実施例）
図４に示すとおり、容器１Ｂ、仕切板２Ｂ、および支持フレーム３Ｂを含み、そのうち、支持フレーム３Ｂにも同じく貫通孔３１Ｂが穿設されて、その間を魚等の水生物が通り、更に容器１Ｂおよび支持フレーム３Ｂが城のような建築物にデザインされ、貫通孔３１Ｂは城門や窓の形状である。
【００１１】
（第４実施例）
図５に示すとおり、容器１Ｃ、仕切板２Ｃ、および支持フレーム３Ｃを含み、図４の実施例と異なるのは、支持フレーム３Ｃの平面上に容器１Ｃを設置する孔を開けていることである。また支持フレーム３Ｃは網状で、貫通孔３１Ｃが穿設され、そこを魚等の水生物が通り抜けることができる。
【００１２】
この他、上述の実施例を水を入れずに、もしくは水容器５から取り出し、支持フレーム３、３Ａ、３Ｂ、３Ｃで地面に立たせれば、異なる品種の植物６を水容器内で育てることができる。また、水容器５は水槽やガラス容器に制限するものではなく、庭園の池に置いてもよい。
【００１３】
つまり、上述は、容器１、１Ａ、１Ｂ、１Ｃと、仕切板２、２Ａ、２Ｂ、２Ｃと、支持フレーム３、３Ａ、３Ｂ、３Ｃとから構成されるもので、造形に関しては上述の実施例が制限するものではなく、構造が同じ場合は本考案の範囲とする。上述の構造の製造に関し、一体成型もしくは各々成型して組み立て、その組み立て方法は淵を相互に合わせるか、もしくはネジ止めする。一体成型は製造コストが低くてすむが、組み立て式は運搬および在庫する時に場所を取らずにすむ。
【図面の簡単な説明】
【００１４】
【図１】本考案の第一実施例による水陸両生鑑賞の水槽鉢構造を示す外観斜視図である。
【図２】本考案の第一実施例による水陸両生鑑賞の水槽鉢構造を示す断面図である。
【図３】本考案の第二実施例による水陸両生鑑賞の水槽鉢構造を示す外観斜視図である。
【図４】本考案の第三実施例による水陸両生鑑賞の水槽鉢構造を示す外観斜視図である。
【図５】本考案の第四実施例による水陸両生鑑賞の水槽鉢構造を示す外観斜視図である。
【符号の説明】
【００１５】
１  容器、１Ａ  容器、  １Ｂ  容器、１Ｃ  容器、２  仕切板、２Ａ  仕切板、２Ｂ  仕切板、２Ｃ  仕切板、３  支持フレーム、３Ａ  支持フレーム、３Ｂ  支持フレーム、３Ｃ  支持フレーム、３１  貫通孔、３１Ａ  貫通孔、３１Ｂ  貫通孔、３１Ｃ  貫通孔、４  土、５  水容器、５１  水、５１１  水面、６  植物
【図１】
0003103706.tif 000003
【図２】
0003103706.tif 000004
【図３】
0003103706.tif 000005
【図４】
0003103706.tif 000006
【図５】
0003103706.tif 000007